(57)【要約】      （修正有）【課題】構造がシンプルで、加工製造が容易で、使用時の偏向振れと振動を防止できる鋸工具を提供する。【解決手段】第１の端部が動力源に接続され、第２の端部にスロット２４が設けられる回転部材２０と、回転部材によって駆動されて回転部材に対して離間又は接近するように往復移動する従動コンポーネントと、を備え、従動コンポーネントは、第１端部及び対向する第２端部３２を備え、第１端部に鋸工具が組み立てられ、第２端部は、スロットに移動可能にスライドして設けられる。【選択図】図６
0003229906.tif 000002
【実用新案登録請求の範囲】
【請求項１】
鋸工具であって、
第１の端部が動力源に接続され、第２の端部にスロットが設けられる回転部材と、
前記回転部材によって駆動されて前記回転部材に対して離間又は接近するように往復移動する従動コンポーネントと、を備え、
前記従動コンポーネントは、第１端部及び対向する第２端部を備え、前記第１端部には工具が組み立てられ、前記第２端部は、前記スロットに移動可能にスライドして設けられる、鋸工具。
【請求項２】
前記従動コンポーネントの第１端部及び前記従動コンポーネントの第２端部は着脱可能に互いに接続される、請求項１に記載の鋸工具。
【請求項３】
前記従動コンポーネントの第１端部及び前記従動コンポーネントの第２端部の一方にはスタッドが設けられ、他方には前記スタッドに互いに螺合されるネジ孔が設けられる、請求項２に記載の鋸工具。
【請求項４】
前記回転部材は、軸方向に向かって延びており、前記軸方向の周りに延びて閉ループとなるガイド溝を有し、前記従動コンポーネントは、本体及び少なくとも１つの摺動部材を備える連動部材をさらに備え、前記従動コンポーネントの第１端部及び前記従動コンポーネントの第２端部は、前記本体に接続され、各前記摺動部材は前記本体に設けられる、請求項３に記載の鋸工具。
【請求項５】
前記従動コンポーネントは、コネクタをさらに備え、前記コネクタは、前記ネジ孔に挿入されて前記スタッドが挿着されるように、前記従動コンポーネントの第１端部及び前記従動コンポーネントの第２端部に径方向に挿設される、請求項３に記載の鋸工具。
【請求項６】
前記従動コンポーネントの第２端部の外周には少なくとも１つの溝が設けられる、請求項１に記載の鋸工具。
【請求項７】
ハウジング及び少なくとも１つのストッパをさらに備え、前記回転部材及び前記従動コンポーネントは前記ハウジングにそれぞれ設けられ、前記ハウジングには少なくとも１つの収容孔が設けられ、各前記ストッパは少なくとも１つの前記収容孔内に設けられ、各前記ストッパは、少なくとも１つの前記収容孔と前記従動コンポーネントの第１端部との間に結合され、前記従動コンポーネントの第１端部は前記ハウジングに対して回転不能であり、各前記摺動部材は各前記ストッパの外に位置する、請求項４に記載の鋸工具。
【請求項８】
ハウジング及び前記ハウジングに固定して接続される位置規制補助部材をさらに備え、前記回転部材及び前記従動コンポーネントは、前記ハウジングにそれぞれ設けられ、前記従動コンポーネントの第１端部には、軸方向に沿って伸びる長溝が設けられ、前記位置規制補助部材の一端部は、前記長溝に挿設されて前記長溝に対して相対移動可能である、請求項１に記載の鋸工具。
【請求項９】
前記本体は、Ｕ字形フレームであり、接続部と前記接続部に間隔を空けて接続されるアーム部とを有し、前記接続部には通孔が設けられ、前記スタッドは前記通孔に穿設され、少なくとも１つの前記アーム部には前記摺動部材が設けられ、前記本体は前記回転部材に嵌設され、前記２つのアーム部は前記回転部材の異なる両側に位置する、請求項４に記載の鋸工具。
【請求項１０】
前記従動コンポーネントは、コネクタをさらに備え、前記コネクタは、前記ネジ孔に挿入されて前記スタッドが挿着されるように、前記従動コンポーネントの第１端部及び前記従動コンポーネントの第２端部に径方向に挿設され、前記コネクタは止めネジであり、前記従動コンポーネントの第２端部の外周には複数の溝が設けられ、各前記溝は周方向に延びる環状をなし、前記スロットは軸方向寸法を定義し、前記従動コンポーネントの第２端部が前記スロットに挿設される時、前記従動コンポーネントの第２端部は、前記軸方向において前記スロットの軸方向寸法の１／３を超え、前記本体は、Ｕ字形フレームであり、接続部と前記接続部に間隔を空けて接続されるアーム部とを有し、前記接続部には通孔が設けられ、前記スタッドは前記通孔に穿設され、少なくとも１つの前記アーム部には前記摺動部材が設けられ、前記本体は前記回転部材に嵌設され、前記２つのアーム部は前記回転部材の異なる両側に位置し、前記鋸工具は、前記ハウジングに固定して接続される位置規制補助部材をさらに備え、前記従動コンポーネントの第１端部には、前記軸方向に沿って伸びる長溝が設けられ、前記位置規制補助部材の一端部は、前記長溝に挿設されて前記長溝に対して相対移動可能である、請求項７に記載の鋸工具。
【考案の詳細な説明】
【技術分野】
【０００１】
本考案は、鋸工具に関する。
【背景技術】
【０００２】
従来の鋸は、空気圧式と電動式に分けられ、主にモーターを介して動力部材を回転駆動し、動力を出力軸のロッドを往復運動させるための力に変換することで、該軸のロッドに取り付けられたカッターを駆動して往復運動させる。動力部材及び該出力軸のロッドは相対的に移動可能であり、該出力軸のロッドは、動力部材により駆動されて回転力を往復運動力に変換できるが、該動力部材の回転力を完全に往復運動力に変換できないことにより、出力軸のロッドの往復運動時にカッターの偏向や振動を引き起こし、材料をスムーズに切断することが困難になる。
【０００３】
そこで、上記問題を解決するために、新規で進歩性のある鋸工具を提供することが必要となる。
【考案の概要】
【考案が解決しようとする課題】
【０００４】
本考案の主な目的は、構造がシンプルで、加工製造が容易で、かつ該鋸の使用過程における偏向振れ、振動を防止できる鋸工具を提供することである。
【課題を解決するための手段】
【０００５】
上記の目的を達成するために、本考案は鋸工具を提供し、第１の端部が動力源に接続され、第２の端部にスロットが設けられる回転部材と、該回転部材によって駆動されて該回転部材に対して離間又は接近するように往復移動する従動コンポーネントと、を備え、該従動コンポーネントは、第１端部及び対向する第２端部を備え、該第１端部には工具が組み立てられ、該第２端部は、該スロットに移動可能にスライドして設けられる。
【図面の簡単な説明】
【０００６】
【図１】本考案の好ましい一実施例の使用状態図である。
【図２】本考案の好ましい実施例の斜視図である。
【図３】本考案の好ましい一実施例の分解図である。
【図４】本考案の好ましい一実施例の部分模式図である。
【図５】本考案の好ましい一実施例の第１枢動部材の斜視図である。
【図６】本考案の好ましい一実施例の往復作動状態図である。
【図７】本考案の好ましい一実施例の往復作動状態図である。
【図８】本考案の好ましい一実施例の他の使用状態図である。
【考案を実施するための形態】
【０００７】
以下、実施例を用いて本考案の可能な実施形態を説明するが、本考案の保護範囲を制限するものではないことを事前に説明する。
【０００８】
図１〜図８を参照し、本考案の第１の好ましい実施例が示されており、本考案の鋸工具１は、ハウジング１０、回転部材２０及び従動コンポーネント３００を備える。
【０００９】
該鋸工具１は、空気圧式又は電動式の往復鋸工具であってもよい。該ハウジング１０には、少なくとも１つの収容孔１１が設けられ、該回転部材２０の第１の端部は動力源２に接続され、該回転部材２０の第２の端部にスロット２４が設けられる。該従動コンポーネント３００は、該回転部材２０によって駆動されて該回転部材２０に対して離間又は接近するように往復移動し、該従動コンポーネント３００は、第１端部３１及び対向する第２端部３２を備え、該従動コンポーネント３００の第１端部３１には工具３が組み立てられ、該工具３は例えば鋸刃であり、該従動コンポーネント３００の第２端部３２は、該スロット２４に移動可能にスライドして設けられる。該従動コンポーネント３００は第２枢動部材３０を備え、該第２枢動部材３０は、該従動コンポーネント３００の第１端部３１及び該従動コンポーネント３００の第２端部３２を備え、それにより、該従動コンポーネント３００は、作動過程において安定的に往復移動することができるため、該鋸刃の使用過程において偏向振れ及び振動を防止する。
【００１０】
該従動コンポーネント３００の第１端部３１及び該従動コンポーネント３００の第２端部３２は着脱可能に互いに接続され、該従動コンポーネント３００の第１端部３１及び該従動コンポーネント３００の第２端部３２の一方にはスタッド３４が設けられ、他方には該スタッド３４に互いに螺合されるネジ孔３６が設けられ、それにより、着脱、交換及び安定結合が可能となる。好ましくは、該従動コンポーネント３００はコネクタをさらに備え、該コネクタは、該ネジ孔３６に挿入されて該スタッド３４が挿着されるように、該従動コンポーネント３００の第１端部３１及び該従動コンポーネント３００の第２端部３２に径方向に挿設され、該コネクタは止めネジ３０１であり、該止めネジ３０１は、該スタッド３４及び該ネジ孔３６の孔壁に螺着されることにより、結合強度を向上させる。好ましくは、該従動コンポーネント３００の第２端部３２の外周には少なくとも１つの溝３８が設けられ、該従動コンポーネント３００の第２端部３２の外周には複数の該溝３８が設けられ、各該溝３８は、潤滑効果を持たせて滑らかな移動を可能にするように、周方向に延びる環状をなしている。
【００１１】
該スロット２４は軸方向寸法Ａ１を定義し、該従動コンポーネント３００の第２端部３２が該スロット２４に挿設される時、該従動コンポーネント３００の第２端部３２は、該軸方向Ａにおいて該スロット２４の軸方向寸法Ａ１の１／３を超え、安定的に作動して且つ振動を低減することができる。
【００１２】
該回転部材２０は、軸方向Ａに向かって延びており、該軸方向Ａの周りに延びて閉ループとなるガイド溝２１を有し、該鋸工具１は、本体５１及び少なくとも１つの摺動部材５２を備える連動部材５０をさらに備え、該従動コンポーネント３００の第１端部３１及び該従動コンポーネント３００の第２端部３２は該本体５１に接続され、各該摺動部材５２は該本体５１に設けられる。具体的には、該本体５１は、Ｕ字形フレームであり、接続部５３と該接続部５３に間隔を空けて接続される２つのアーム部５４とを有し、該接続部５３には通孔５５が設けられ、該スタッド３４は、該通孔５５に穿設され、少なくとも１つの該アーム部５４には該摺動部材５２が設けられ、該本体５１は、該回転部材２０に嵌設され、該２つのアーム部５４は、該回転部材２０の異なる両側に位置し、着脱しやすい。
【００１３】
各該ストッパ４０は、少なくとも１つの該収容孔１１内に設けられ、少なくとも１つの該収容孔１１と該従動コンポーネント３００の第１端部３１との間に結合され、各該収容孔１１に対して回転不能であり、各該摺動部材５２は、各該ストッパ４０の外に位置し、長期使用によって該ハウジング１０が摩耗するのを防止することもできる。
【００１４】
該鋸工具１には、該ハウジング１０に固定して接続される位置規制補助部材２００がさらに設けられ、本実施例では、該位置規制補助部材２００はスクリューであり、該第２枢動部材３０の該第１端部３１には、該軸方向Ａに沿って伸びる長溝３７が設けられ、該位置規制補助部材２００の一端部は、該長溝３７に挿設されて該長溝３７に対して相対移動可能であり、該第２枢動部材３０の回転力に抗することができる。
【符号の説明】
【００１５】
１    鋸工具
２    動力源
３    工具
１０    ハウジング
１１    収容孔
２０    回転部材
２１    ガイド溝
２４    スロット
３０    第２枢動部材
３１    第１端部
３２    第２端部
３４    スタッド
３６    ネジ孔
３７    長溝
３８    溝
４０    ストッパ
５０    連動部材
５１    本体
５２    摺動部材
５３    接続部
５４    アーム部
２００    位置規制補助部材
３００    従動コンポーネント
３０１    止めネジ
Ａ    軸方向
Ａ１    軸方向寸法
【図１】
0003229906.tif 000003
【図２】
0003229906.tif 000004
【図３】
0003229906.tif 000005
【図４】
0003229906.tif 000006
【図５】
0003229906.tif 000007
【図６】
0003229906.tif 000008
【図７】
0003229906.tif 000009
【図８】
0003229906.tif 000010